(57)【要約】【課題】  光ファイバ伝送システムにおける光ファイバの敷設コストを低減することのできる光ファイバ伝送路を提供する。【解決手段】  少なくとも一つの波長でアナログフォーマットの信号を強度変調して伝送するための光ファイバリンクであって、誘導ブリルアン散乱の閾値を高くした第１の種類の光ファイバと誘導ブリルアン散乱の閾値を高くしてない第２の種類の光ファイバとを接続したことを特徴とする光ファイバ伝送路であり、前記誘導ブリルアン散乱の閾値を高くした第１の種類の光ファイバとして、線引き中に線引き張力を周期的もしくは非周期的に変化させた光ファイバ、あるいは有効断面積を拡大した光ファイバを使用することができる。【選択図】  なし【特許請求の範囲】
【請求項１】
少なくとも一つの波長でアナログフォーマットの信号を強度変調して伝送するための光ファイバリンクであって、誘導ブリルアン散乱の閾値を高くした第１の種類の光ファイバと誘導ブリルアン散乱の閾値を高くしてない第２の種類の光ファイバとを接続したことを特徴とする光ファイバ伝送路。
【請求項２】
前記誘導ブリルアン散乱の閾値を高くした第１の種類の光ファイバが、線引き中に線引き張力を周期的もしくは非周期的に変化させた光ファイバである請求項１に記載の光ファイバ伝送路。
【請求項３】
前記誘導ブリルアン散乱の閾値を高くした第１の種類の光ファイバが、有効断面積を拡大した光ファイバである請求項１または２に記載の光ファイバ伝送路。
【請求項４】
前記誘導ブリルアン散乱の閾値を高くした第１の種類の光ファイバの長さが、光伝送システムの設計上最大強度の入力信号が前記第１の種類の光ファイバの伝送損失によって前記第２の種類の光ファイバの誘導ブリルアン散乱の閾値よりも小さくなるのに十分な長さである請求項１乃至３のいずれかに記載の光ファイバ伝送路。
【請求項５】
前記誘導ブリルアン散乱の閾値を高くした第１の種類の光ファイバの長さが、光伝送システムの設計上最大強度の入力信号が前記第１の種類の光ファイバの伝送損失及び伝送路の分岐によって前記第２の種類の光ファイバの誘導ブリルアン散乱の閾値よりも小さくなるのに十分な長さである請求項１乃至３のいずれかに記載の光ファイバ伝送路。
【発明の詳細な説明】
【技術分野】
【０００１】
本発明は、光ファイバを用いた光信号伝送路に係り、特にアナログフォーマットの信号を強度変調して伝送するのに用いられる光ファイバ伝送路に関する。
【背景技術】
【０００２】
ＣＡＴＶのようなシステムでは、アナログフォーマットの信号が強度変調して伝送される。送信局とユーザーとの間の光伝送路を構成する光ファイバは、固有の伝送損失を有しているため、送信局側ではその損失を補うために、ユーザー端で必要とされるよりも大きな光パワーを投入する必要がある。送信局とユーザーとの間の伝送距離が長くなると、伝送損失も増大し、当然投入すべき光パワーも大きくなる。
【０００３】
光ファイバに大きな光パワーを投入すると、誘導ブリルアン散乱（stimulated brillouin scattering）という現象により、投入した光パワーが後方に散乱し、実際に伝送される光パワーが投入した量に対して減少することが知られている。
誘導ブリルアン散乱には閾値が存在し、この閾値を超えると散乱される光パワーが急激に増加する。このため、光ファイバを用いた光伝送システムでは、投入する光パワーに制限があり、光信号の伝送可能な距離が制限されていた。
【０００４】
誘導ブリルアン散乱の抑制方法については、非特許文献１に記載されているように、光ファイバの線引き中に線引き張力を変化させるという方法がある。また、閾値が光ファイバの有効断面積に比例することが知られており、光ファイバの有効断面積を大きくするという方法がある。
しかし、どのような方法であれ、誘導ブリルアン散乱を抑制した光ファイバを利用する場合には、これらの光ファイバが従来の標準的で安価な光ファイバに比べてかなり高価であるため、敷設コストを上昇させることとなる。
【非特許文献１】NEW GLASS Vol.8 No.1（1993）pp.19-26
【発明の開示】
【発明が解決しようとする課題】
【０００５】
本発明は、上記事情に鑑みなされたもので、光ファイバ伝送システムにおける光ファイバの敷設コストを低減することのできる光ファイバ伝送路の提供を目的としている。
【課題を解決するための手段】
【０００６】
本発明の光ファイバ伝送路は、少なくとも一つの波長でアナログフォーマットの信号を強度変調して伝送するための光ファイバリンクであって、誘導ブリルアン散乱の閾値を高くした第１の種類の光ファイバと誘導ブリルアン散乱の閾値を高くしてない第２の種類の光ファイバとを接続したことを特徴としている。
前記誘導ブリルアン散乱の閾値を高くした第１の種類の光ファイバとして、線引き中に線引き張力を周期的もしくは非周期的に変化させた光ファイバ、あるいは有効断面積を拡大した光ファイバを挙げることができる。
【０００７】
本発明において、誘導ブリルアン散乱の閾値を高くした第１の種類の光ファイバの長さは、光伝送システムの設計上最大強度の入力信号が第１の種類の光ファイバの伝送損失によって、あるいは伝送損失及び伝送路の分岐によって、第２の種類の光ファイバの誘導ブリルアン散乱の閾値よりも小さくなるのに十分な長さとするのが好ましい。
【発明の効果】
【０００８】
本発明によれば、誘導ブリルアン散乱の閾値を高くした第１の種類の光ファイバ、すなわち、誘導ブリルアン散乱を抑制した光ファイバ（以下、単にＳＢＳ抑制光ファイバと称する）は高価なため、送信局から最初のスプリッタ（分波器）までの間のみに使用し、分波器以降の分岐された多数の光ファイバには、誘導ブリルアン散乱の閾値を高くしてない第２の種類の光ファイバ、例えば、シングルモードファイバのような標準的な光ファイバ（以下、単に標準光ファイバと称する）を使用することで、光伝送システム全体の光ファイバの敷設コストを大幅に削減できる。
【発明を実施するための最良の形態】
【０００９】
図１は、誘導ブリルアン散乱の閾値と入力した光パワーとの関係を説明するグラフである。実線で示された曲線は、ＳＢＳ抑制光ファイバによるものであり、破線で示された曲線は標準光ファイバによるものである。図から、光パワーがある強度に達すると、誘導ブリルアン散乱による後方散乱光パワーが急増するのが認められる。このため、実際に伝送される光パワーは投入した量に対して減少する。
【００１０】
本発明者は、全体をＳＢＳ抑制光ファイバで構成した光ファイバ伝送路であっても、伝送路の後半では、光ファイバ固有の伝送損失により光パワーは、標準光ファイバの誘導ブリルアン散乱の閾値よりも小さくなっていることを見い出し、この現象に注目して、光ファイバ伝送路の後半を標準的で安価な光ファイバで置き換えることにより、光伝送システムに必要な光ファイバのコスト低減を可能としたものである。
【００１１】
本発明の光ファイバ伝送路は、ＳＢＳ抑制光ファイバと非ＳＢＳ抑制光ファイバとを接続するものであり、ＳＢＳ抑制光ファイバの長さは、光伝送システムの設計上最大強度の入力信号がＳＢＳ抑制光ファイバの伝送損失や伝送路の分岐によって、標準光ファイバの誘導ブリルアン散乱の閾値よりも小さくなるのに十分な長さとすればよい。
【００１２】
また、光伝送システムでは、図２に示すように、光信号は、送信局の送信器１からユーザー端の受信器３に到達するまでに、中継局の分波器２を介して分岐して伝送される。このため、光伝送システム全体の光ファイバ長の殆どは、多数本に分岐した分波器以降の光ファイバによって占められている。
【００１３】
そこで、入力信号は、通常、送信局から最初の分波器までの間に、光ファイバ固有の伝送損失により、徐々に信号の強度が下がり、ある点より先では標準光ファイバの誘導ブリルアン散乱の閾値よりも小さくなるため、高価なＳＢＳ抑制光ファイバは、例えば送信局から最初の分波器までの間のみに使用し、ユーザー端につながる分波器以降の多数の光ファイバには、安価な標準光ファイバを使用することで、システム全体のＳＢＳによる損失を大きくすることなく、光伝送システムの構築が可能となる。このことは、光伝送システム全体の光ファイバの敷設コストを大幅に削減できることになる。
【００１４】
ＳＢＳ抑制光ファイバは、線引き中に線引き張力を周期的もしくは非周期的に変化させて製造することができる。線引き張力を周期的に変化させるには、光ファイバの引き取り速度を制御すればよい。
【００１５】
また、光ファイバの有効断面積を拡大することによっても、ＳＢＳ抑制光ファイバを得ることができる。例えば、セグメントコア型のプロファイルにして有効断面積を拡大することができる。しかしながら、これらの光ファイバは、必然的に製造コストの高いものとなる。
【実施例】
【００１６】
送信局の送信器１から中継局の最初の分波器２までは、ＳＢＳ抑制光ファイバを敷設し、分波器２から各ユーザーの受信器３に至る伝送路１１〜１８には、標準光ファイバとして通常のシングルモードファイバを敷設した。
送信器１から出力された波長１．３μｍ帯の信号光は、伝送路１１に使用されたＳＢＳ抑制光ファイバにより、誘導ブリルアン散乱による投入光パワーの損失が少なく、効率良く中継局に送られる。中継局に到達した信号光は、分波器２で分配され、伝送路１１〜１８を経て各ユーザーの受信器３で受信される。
このようにして構築された光伝送システムは、高価なＳＢＳ抑制光ファイバが最初の分波器２までの間であり、敷設された光ファイバの大半を占める伝送路１１〜１８には安価な標準光ファイバが使用されているため、伝送システム全体の光ファイバの敷設コストを大幅に低減することができた。
【産業上の利用可能性】
【００１７】
本発明によれば、光ファイバ伝送路の敷設コストの低減に寄与する。
【図面の簡単な説明】
【００１８】
【図１】誘導ブリルアン散乱の閾値と入力光パワーとの関係を説明するグラフである。
【図２】光信号を送信局からユーザー端に分波器を介して伝送する状態を示す模式概略図である。
【符号の説明】
【００１９】
１……送信器、
２……分波器、
３……受信器、
１１〜１８……伝送路。
【図１】
2006078839.tif 000002
【図２】
2006078839.tif 000003